(57)【要約】【課題】  尿が臀部側においても十分に吸収され、べたつき感などの着用者の不快感を軽減し、後ろウェスト方向に更に尿が漏れ出ることを防止し、寝ている状態で褥瘡の生じ易い部分の褥瘡の発生を軽減する機能も備えた着用感の良好なおむつ用パッドを提供する。【解決手段】  肌側面シート１と外側面シート２の間に吸液性パッドコア３〜７を有し下腹部から股下部、臀部にあてがわれるおむつ用パッドであって、後身頃に配置されるパッドコアの面積及び量が、前身頃に配置されるパッドコアの面積及び量よりも大きく、且つ、人体臀部の左右の膨らみ部分の上方並びに臀部の左右の膨らみ部分の間の上部は、パッドコアの厚みが、臀部の左右の膨らみ部分が当接される部分のパッドコアの厚みより厚いパッドコアが用いられているおむつ用パッド。【選択図】  図１２
2005087538.tif 000002
【特許請求の範囲】
【請求項１】
肌側面シートと外側面シートの間に吸液性パッドコアを有し下腹部から股下部、臀部にあてがわれるおむつ用パッドであって、後身頃に配置されるパッドコアの面積及び量が、前身頃に配置されるパッドコアの面積及び量よりも大きく、且つ、人体臀部の左右の膨らみ部分の上方並びに臀部の左右の膨らみ部分の間の上部は、パッドコアの厚みが、臀部の左右の膨らみ部分が当接される部分のパッドコアの厚みより厚いパッドコアが用いられているおむつ用パッド。
【請求項２】
パッドコアの厚みが、パッドコアを形成するシート状のパッドコア部片の積層枚数によって調整されている請求項１に記載のおむつ用パッド。
【請求項３】
おむつ用パッドの後身頃に配置されるパッドコアの量が前身頃に配置されるパッドコアの量の２〜５倍（重量比）である請求項１〜２のいずれかに記載のおむつ用パッド。
【請求項４】
おむつ用パッドの後身頃に配置されるパッドコアの幅が広く、股下部から前身頃部分に配置されるパッドコアの幅が後身頃に配置されるパッドコアの幅に比べて狭くなっている請求項１〜３のいずれかに記載のおむつ用パッド。
【請求項５】
肌側面シートが尿を透過し得る液透過性の繊維編物シートからなり、外側面シートが尿が透過しにくい防水性の繊維編物シートからなる請求項１〜４のいずれかに記載のおむつ用パッド。
【請求項６】
肌側面シートとパッドコアとが、パッドコアの幅方向のほぼ中心を前身頃部分から股下部を通り後身頃のうちの下側部分に到る縫製ラインで縫合されて形成された縫合ライン状の中心溝を有する請求項１〜５のいずれかに記載のおむつ用パッド。
【請求項７】
肌側面シートとパッドコアとが、パッドコアの後身頃の左右両脇側に、パッドコアの後身頃を下側から上方に向かい後身頃の上縁部までの中間に達する縫製ラインで縫合されて形成された左右の縫合ライン状の左右溝を有する請求項１〜６のいずれかに記載のおむつ用パッド。
【請求項８】
おむつ用パッドの前身頃上縁部がへその位置かそれより下１０ｃｍまでの位置にあてがわれる長さを有する請求項１〜７のいずれかに記載のおむつ用パッド。
【請求項９】
おむつ用パッドコアの前身頃が男性の性器が覆われる大きさを有する請求項１〜８のいずれかに記載のおむつ用パッド。
【請求項１０】
おむつ用パッドの前身頃の外観の面積が、後身頃の外観の面積よりも小さい請求項１〜９のいずれかに記載のおむつ用パッド。
【請求項１１】
おむつ用パッドの前身頃の外観の面積が、後身頃の外観の面積の７０〜５０％である請求項１〜１０のいずれかに記載のおむつ用パッド。
【請求項１２】
おむつ用パッドコアの厚みが、パッドコアを形成するシート状のパッドコア部片の積層枚数によって調整されているおむつ用パッドコアであって、
パッドコア後身頃は臀部をカバーするため幅が広く、パッドコア前身頃は男性の性器をカバーし得る範囲の位置まで到達しており、しかも股下から前身頃上縁までが男性の性器を少なくともカバーし得る範囲でパッドコア後身頃より幅が狭くされている第１ベースパッドコア部片を有し、
前記第１ベースパッドコア部片より肌側に、パッドコアの厚みを増加するため、人体臀部の左右の膨らみ部分の上方及び臀部の左右の膨らみ部分の間の上部にわたって宛てがわれれる下に凸の平面形状を有する臀部上部第１パッドコア部片が積層されている請求項１〜１１のいずれかに記載のおむつ用パッド。
【請求項１３】
第１ベースパッドコア部片の外側面に、少なくとも後身頃上縁の左右の幅を除いて、第１ベースパッドコア部片よりも幅が狭く、長さも第１ベースパッドコア部片の後身頃上縁と前身頃上縁より短い第２ベースパッドコア部片が更に積層されている請求項１２に記載のおむつ用パッド。
【請求項１４】
第１ベースパッドコア部片より肌側の位置に、第１ベースパッドコア部片後身頃上縁部に沿って、細帯状の後身頃上縁部厚み増加パッドコア部片が更に積層されている請求項１２〜１３のいずれかに記載のおむつ用パッド。
【請求項１５】
第１ベースパッドコア部片の肌側面と臀部上部第１パッドコア部片との間に、臀部上部第１パッドコア部片とほぼ同じ程度の大きさで、しかも第１ベースパッドコア部片や臀部上部第１パッドコア部片とその上縁部が同じ位置か若干下側の位置にあり、臀部上部第１パッドコア部片の下に凸の突出部の左右両脇にはみ出してしかも前記凸の突出部の先端より短い部位をその下縁部が通る変則楕円形状の臀部上部第２パッドコア部片が更に積層されている請求項１２〜１４のいずれかに記載のおむつ用パッド。
【請求項１６】
おむつ用パッドコアの厚みが、パッドコアを形成するシート状のパッドコア部片の積層枚数によって調整されているおむつ用パッドコアであって、３枚以上のパッドコア部片を積層して用いる場合で、当該３枚以上のパッドコア部片の後身頃の上縁である人体の横方向に向いている縁部に関し、当該パッドコア部片のうちの少なくとも１枚の部片の人体の横方向に向いている当該縁部を他のパッドコア部片と縫合せずにフリーの状態にした請求項１〜１５のいずれかに記載のおむつ用パッド。
【請求項１７】
肌側面シートの肌側面側の後身頃上縁に沿って、防水布からなる液堰止め片が更に設けられている請求項１〜１６のいずれかに記載のおむつ用パッド。
【請求項１８】
少なくともおむつ用パッドの後身頃の周囲の縁と太ももに接する股下部の縁に、防水布からなるパイピング縁布が取り付けられている請求項１〜１７のいずれかに記載のおむつ用パッド。
【発明の詳細な説明】
【技術分野】
【０００１】
本発明は、洗濯して繰り返し使用するおむつ用パッドに関する。特に介護老人などの介護を必要とする成人用に好適なおむつ用パッドに関する。
【背景技術】
【０００２】
近年、洗濯して繰り返し使用する布おむつ用パッドとしては、肌側面シートと外側面シートの間に吸液性パッドコアを有するおむつ用パッドが広く用いられている。肌側面シートには、尿を透過し得る液透過性繊維シートが用いられ、また、外側面（最外面）シートとしては液透過性繊維シート又は防水性の繊維シートが用いられている。この両者のシートの間に、尿などを吸収する液吸収性を有する編物、不織布（フェルトも含む意味）などの布帛が吸液性パッドコアとして用いられている（下記特許文献１参照）。吸液性パッドコアは、通常、吸液量を大きくするため、これらを構成する編物や不織布が複数枚積層されたもの等がパッドコアとして用いられている。このようなおむつ用パッドは、おむつの肌側面に宛がわれておむつとともに使用される。
【０００３】
図１６にこのような従来の代表的な一例のおむつ用パッドの肌側面から見た平面図、図１７に図１６のＡ−Ａ´断面の端面を模式的に示した端面図を示した。
【０００４】
肌側面シート１６１には、尿を透過し得る液透過性繊維シートが用いられ、また、外側面（最外面）シート１６２としては液透過性繊維シート又は防水性の繊維シートが用いられている。この両者のシートはその縁部で縫合ライン１６６で相互に縫合されている。肌側面シート１６１と外側面シート１６２の間に、尿などを吸収する液吸収性を有する編物、不織布（フェルトも含む意味）などの布帛１６３が複数枚積層されて吸液性パッドコア１６４として用いられている。吸液性パッドコア１６４は、複数枚の布帛１６３を縁部で縫合ライン１６５で縫合されるとともに、肌側面シート１６１にも縫合されている。洗濯機や乾燥機などでの処理の際に、吸液性パッドコア１６４が内部で移動して位置がずれて偏在したり、捩れたり、丸まってしまわないようにするためである。
【特許文献１】特開２００３−３８５４０号公報
【発明の開示】
【発明が解決しようとする課題】
【０００５】
例えば、図１６や図１７に示したように、従来のおむつ用パッドは、比較的均一な厚さで吸液性パッドコアが配置されており、しかも、人体前側に宛がわれる前身頃側のパッドコアも人体臀部側に宛がわれる後身頃側のパッドコアもその占める量や面積は、前身頃側と後身頃側とではあまり大きく変わっていない。股下部のみ若干幅が細めに作られているものもあるが、前身頃側のパッドコアと後身頃側のパッドコアの占める量や面積は、前身頃側と後身頃側とではあまり大きく変わっていない。
【０００６】
これは、尿が人体の前側に多く放出される可能性があることなどから、前側のパッドコアの量や面積を小さくすることは好適でないと考えていたからかもしれないと推定される。
【０００７】
しかし、本発明者等が、介護を必要とする老人などの、おむつ用パッドを、介護施設などにおいて種々検討したところによると、おむつやおむつ用パッドを装着する必要のある成人は、寝たきりの老人など、ベットに寝ている時間が極めて多いことが分かっている。      
【０００８】
そして、要介護者は、通常、仰向けに寝かされているので、この状態で排尿した場合には、尿は人体前側に出て行くが、寝ている姿勢の場合には、重力により、尿は下側に移動するので、結局、臀部側、背面側に多くの尿がたまることになることが分かってきた。しかし、従来用いられているおむつパッドでは、前身頃側のパッドコアと後身頃側のパッドコアの占める量や面積は、前身頃側と後身頃側とではあまり大きく変わっていないので、結局、後身頃側のパッドコアでは、十分に排尿を吸収しきれずに、濡れ、べとつきなど不快感が大きくなったり、更には、後ウェスト側、すなわち背中側に尿が漏れるなどの問題があった。
【０００９】
また、かかる要介護成人は、長時間寝た状態の姿勢であるため、体重により圧力がかかりやすい部分、特に限定するものではないが、例えば人体の後ろ側に膨らんでいる臀部の丸みの頂点部近傍など、人体外側に突出している部分などに集中的に重力がかかり、その部分が圧迫されて、いわゆる「褥瘡」（decubitus）と称される圧迫性壊疽の状態になり、大きな苦痛を伴うことになる。従来のおむつパッドは、かかる褥瘡の発生を軽減したり予防したり、その悪化を緩和するための圧力分散については特別の配慮が払われていないという問題があった。
【００１０】
本発明は、かかる従来のおむつ用パッドの問題点を解決し、比較的使用態様の多い、寝ている状態で排尿した場合でも、尿が臀部側においても十分に吸収され、濡れた感じやべたつき感などの着用者の不快感を軽減し、後ろウェスト方向にさらに尿が漏れ出ることを防止し、寝ている状態でベッドと人体の接する部分で圧力がかかりやすくなる人体の膨らんでいる部分などの褥瘡の生じやすい部分の褥瘡の発生を軽減したり予防したり、その悪化を緩和することも兼ね備えた着用感の良好なおむつ用パッドを提供することを目的とする。
【課題を解決するための手段】
【００１１】
前記課題を解決するため、本発明のおむつ用パッドは、肌側面シートと外側面シートの間に吸液性パッドコアを有し下腹部から股下部、臀部にあてがわれるおむつ用パッドであって、後身頃に配置されるパッドコアの面積及び量（重量）が、前身頃に配置されるパッドコアの面積及び量よりも大きく、且つ、人体臀部の左右の膨らみ部分の上方並びに臀部の左右の膨らみ部分の間の上部は、パッドコアの厚みが、臀部の左右の膨らみ部分が当接される部分のパッドコアの厚みより厚いパッドコアが用いられているおむつ用パッドである。
【発明の効果】
【００１２】
本発明のおむつ用パッドは、後側に配置されるパッドコアの面積及び量が、前側に配置されるパッドコアの面積及び量よりも大きくなっているので、寝ている状態で排尿した場合でも、尿が臀部側においても十分に吸収され、濡れた感じやべたつき感などの着用者の不快感を軽減し、後ろウェスト方向にさらに尿が漏れ出ることを防止しできる。また、前側に配置されるパッドコアの面積及び量が後側のそれらに比べて少なくなっているので、腹部への圧迫感も少なく着用感が良好になる。
【００１３】
しかも、人体臀部の左右の膨らみ部分の上方並びに臀部の左右の膨らみ部分の間の上部は、パッドコアの厚みが、臀部の左右の膨らみ部分が当接される部分のパッドコアの厚みより厚いパッドコアが用いられているので、ベッドで圧力のかかりやすい人体の膨らんでいる臀部部分などへの圧力の集中を分散し、褥瘡の生じやすい部分の褥瘡の発生を軽減したり予防したり、その悪化を緩和することも兼ね備えた着用感の良好なおむつ用パッドを提供できる。
【発明を実施するための最良の形態】
【００１４】
（１）本発明のおむつ用パッドは、肌側面シートと外側面シートの間に吸液性パッドコアを有し下腹部から股下部、臀部にあてがわれるおむつ用パッドであって、後身頃に配置されるパッドコアの面積及び量が、前身頃に配置されるパッドコアの面積及び量よりも大きく、且つ、人体臀部の左右の膨らみ部分の上方並びに臀部の左右の膨らみ部分の間の上部は、パッドコアの厚みが、臀部の左右の膨らみ部分が当接される部分のパッドコアの厚みより厚いパッドコアが用いられているおむつ用パッドである。
【００１５】
（２）前記（１）項に記載のおむつ用パッドにおいては、パッドコアの厚みが、パッドコアを形成するシート状のパッドコア部片の積層枚数によって調整されていることが好ましい。
【００１６】
パッドコアの厚みを部位に応じて変化させたパッドコアを作成することはかなり製造も面倒になるし、コストも高くなるが、例えば厚みを厚くすべき部分をその厚くすべき部分の形状に応じ所望の形状にカットしたシート状のパッドコア部片を複数枚積層することにより、容易に、厚みを調整することができ、しかも、厚みを厚くすべき部分の形状に適合した大きさと形状を有するパッドコア部片はフェルトなどのパッドコアベース生地を目的の形状、大きさにカットすることにより簡単に製造できるので、製造が容易で、コストも比較的安く製造できる。
【００１７】
（３）また、前記（１）〜（２）項のいずれかに記載のおむつ用パッドにおいては、おむつ用パッドの後身頃に配置されるパッドコアの量が前身頃に配置されるパッドコアの量の２〜５倍（重量比）であることが好ましい。
【００１８】
後側に配置されるパッドコアの量が、前側に配置されるパッドコアの量よりも上記の如く多くなっているので、寝ている状態で排尿した場合でも、尿が臀部側においても十分に吸収され、濡れた感じやべたつき感などの着用者の不快感を軽減し、後ろウェストより上方の背中側にさらに尿が漏れ出ることを一層防止しできる。また、前側に配置されるパッドコアの量が後側のそれらに比べて少なくなっているので、腹部への圧迫感も少なく着用感が一層良好になる。
【００１９】
（４）また、前記（１）〜（３）項のいずれかに記載のおむつ用パッドにおいては、おむつ用パッドの後身頃に配置されるパッドコアの幅が広く、股下部から前身頃部分に配置されるパッドコアの幅が後身頃に配置されるパッドコアの幅に比べて狭くなっていることが好ましい。
【００２０】
後側に配置されるパッドコアの幅が広くなっているので、寝ている状態で排尿した場合でも、尿が臀部側においても十分に吸収され、尿が漏れ出ることを一層防止しできる。また、股下部と前側に配置されるパッドコアの幅が後側の幅に比べて狭くなっているので、腹部への圧迫感も少なく着用感が一層良好になる。
（５）また、前記（１）〜（４）項のいずれかに記載のおむつ用パッドにおいては、肌側面シートが尿を透過し得る液透過性の繊維編物シートからなり、外側面シートが尿が透過しにくい防水性の繊維編物シートからなることが好ましい。
【００２１】
肌側面シートを尿を透過し得る液透過性の繊維編物シートとすることにより、尿を吸液性のパッドコアに容易に導くことができ、外側面シートを尿が透過しにくい防水性の繊維編物シートとすることによりパッドコアに吸収した尿が外部に漏れることを防止する機能が発揮でき好ましい。
【００２２】
（６）また、前記（１）〜（５）項のいずれかに記載のおむつ用パッドにおいては、肌側面シートとパッドコアとが、パッドコアの幅方向のほぼ中心を前身頃部分から股下部を通り後身頃のうちの下側部分に到る縫製ラインで縫合されて形成された縫合ライン状の中心溝を有することが好ましい。
【００２３】
排尿された際に、尿は肌側面シートを透過しパッドコアに吸収されるのであるが、肌側面シートを透過するまでに若干の時間がかかる。そのため、尿が肌側面シート上で無差別な方向に分散しやすく、おむつ用パッド外に尿が漏れる恐れがある。
【００２４】
肌側面シートとパッドコアとを、パッドコアの幅方向のほぼ中心を前身頃部分から股下部を通り後身頃のうちの下側部分に到る縫製ラインで縫合することにより、縫合ラインが溝を形成するので、尿が当該溝に沿って流れやすくなり、尿の吸収方向をパッドコアの長さ方向に沿って後身頃側に導きやすくできるとともに、当該溝は縫合の際にミシン針などが通されて孔が開いていることからも、当該溝の部分から尿がパッドコア内に入り込みやすくなり、肌側面シートを透過し、パッドコアに導かれる時間を短くできるので、尿が外部に漏れるのをより一層防止でき、好ましい。
【００２５】
（７）また、前記（１）〜（６）項のいずれかに記載のおむつ用パッドにおいては、肌側面シートとパッドコアとが、パッドコアの後身頃の左右両脇側にパッドコアの後身頃を下側から上方に向かい後身頃の上縁部までの中間に達する縫製ラインで縫合されて形成された左右の縫合ライン状の左右溝を有することが好ましい。
【００２６】
縫合ラインからなる左右溝は、寝ている状態で、前側から後ろ側に流れてきた尿を、左右の縫合ラインからなる左右溝に沿って導きやすくし、また、縫合の際にミシン針などが通されて孔が開いていることからも、流れてきた尿をパッドコアに吸収しやすくでき、尿を確実に後側のパッドコアに導くことができるので、外部への尿の漏れを少なくでき好ましい。
【００２７】
（８）また、前記（１）〜（７）項のいずれかに記載のおむつ用パッドにおいては、おむつ用パッドの前身頃上縁部がへその位置かそれより下１０ｃｍまでの位置にあてがわれる長さを有することが好ましい。
【００２８】
寝たきりの要介護成人などにおいては、前述したように、寝ている姿勢の状態で排尿した場合に、尿は重力により下側に移動するので、結局、臀部側、背面側に多くの尿がたまりやすい。従って前側のおむつ用パッドは、それほど大面積、大容量で人体前側をカバーする必要がなく、おむつ用パッドの前身頃上縁部がへその位置かそれより下１０ｃｍまでの位置にあてがわれる長さを有するものであれば十分であり、その結果、腹部への圧迫感も少なくでき着用感が良好になる。
【００２９】
（９）また、前記（１）〜（８）項のいずれかに記載のおむつ用パッドにおいては、おむつ用パッドコアの前身頃が男性の性器が覆われる大きさを有することが好ましい。
【００３０】
寝たきりの要介護成人などにおいては、前述したように、寝ている姿勢の状態で排尿した場合に、尿は重力により下側に移動するので、結局、臀部側、背面側に多くの尿がたまりやすい。従って前側のおむつ用パッドコアは、それほど大面積、大容量で人体前側をカバーする必要がない。本発明のおむつ用パッドは、男性用と女性用の兼用として使用できるが、男性の性器の方が女性の性器に比べて人体外側に突出していて、外側に突出している部分の体積が大きくなるので、おむつ用パッドコアの前側の部分は、男性の性器が覆われる大きさを有する程度の大きさがあれば、女性が着用しても、尿の漏れなどの問題もない。おむつ用パッドコアの前側部分の大きさを、上記のような大きさとすることにより、腹部への圧迫感も少なくでき着用感が良好になる。
【００３１】
（１０）また、前記（１）〜（９）項のいずれかに記載のおむつ用パッドにおいては、おむつ用パッドの前身頃の外観の面積が、後身頃の外観の面積よりも小さいことが好ましい。
【００３２】
病院や老人介護施設などにおいては、大量のおむつ類を洗濯し、乾燥機などで乾燥する。通常、おむつ用パッドは、前身頃と後身頃が肌側に反るように股下部の左右両サイドの縁にゴムテープを設けたり適宜ギャザーなどを設けているので、洗濯後乾燥機中で乾燥する場合に、股下部を中心にして前身頃と後身頃が肌側に折れ曲がり、前身頃と後身頃が重なってしまうことが多い。この際に、前身頃と後身頃の面積がほぼ同等に近いと、前身頃と後身頃が重なった部分が乾燥しにくくなり、乾燥に時間がかかり、病院や老人介護施設など大量におむつ類を洗濯し、乾燥しなければならない場合に、時間とコストがかなり大きくなる。然るに、おむつ用パッドの前身頃の面積が、後身頃の面積よりも小さいおむつ用パッドとすることにより、前身頃と後身頃の面積が異なるので、両者が重なり合っても重なりあう面積を小さくでき乾燥時間やコストをかなり節約することが可能となり好ましい。しかも、前身頃が小さいので、後身頃と重なった場合でも、ドライヤー中で回転する際に、前身頃が動きやすく、しばしば重なりあっている位置が変わるので、乾燥が容易になる。
【００３３】
（１１）また、前記（１）〜（１０）項のいずれかに記載のおむつ用パッドにおいては、  おむつ用パッドの前身頃の外観の面積が、後身頃の外観の面積の７０〜５０％であることが好ましい。あまりに前身頃の面積を小さくしすぎると、排尿の際に尿が前側から漏れやすくなるので、おむつ用パッドの前身頃の外観の面積が、後身頃の外観の面積の７０〜５０％の範囲とすることにより、排尿の際に尿が前側から漏れやすくなることを防止しつつ、上記（１０）項で説明した前身頃と後身頃の面積が異なるので、両者が重なり合っても重なりあう面積を小さくでき乾燥時間やコストをかなり節約することが可能となり好ましい。
【００３４】
（１２）また、前記（１）〜（１１）項のいずれかに記載のおむつ用パッドにおいては、  おむつ用パッドコアの厚みが、パッドコアを形成するシート状のパッドコア部片の積層枚数によって調整されているおむつ用パッドコアであって、
パッドコア後身頃は臀部をカバーするため幅が広く、パッドコア前身頃は男性の性器をカバーし得る範囲の位置まで到達しており、しかも股下から前身頃上縁までが男性の性器を少なくともカバーし得る範囲でパッドコア後身頃より幅が狭くされている第１ベースパッドコア部片を有し、
前記第１ベースパッドコア部片より肌側に、パッドコアの厚みを増加するため、人体臀部の左右の膨らみ部分の上方及び臀部の左右の膨らみ部分の間の上部にわたって宛てがわれれる下に凸の平面形状を有する臀部上部第１パッドコア部片が積層されていることが好ましい。
【００３５】
パッドコア後身頃の幅が大きく、前身頃の幅が小さいほうが好ましいことは、前記（４）項で説明した通りであり、股下部の幅もパッドコア後身頃の幅より小さくすることにより、着用した場合に、股部にフィットしやすくなり、着用感も良好になり好ましい。
【００３６】
ところで、図１４、図１５に人体のウェスト近傍から太腿部近傍までの側面図と後側から見た斜視図を示した。図１５において点線１５０は人体の後側の中心ラインを模式的に示したもの、点線１５１ａ、１５１ｂは臀部が外側に膨らんでいることを分かりやすく示すために記入した模擬ラインである。
【００３７】
本発明のおむつ用パッドが宛がわれる部分の上縁近傍に相当する人体臀部の左右の膨らみ部分の上方及び臀部の左右の膨らみ部分の間の上部１５２の部位は、臀部のふくらみ部分に比べて窪んでいる。かかる部位に、下に凸の平面形状を有するパッドコア部片（臀部上部第１パッドコア部片）（例えば図７参照）が前記第１ベースパッドコア（例えば図９参照）より肌側に積層されていることにより、後身頃側の尿の吸収量をさらに多くできるのみでなく、人体の窪んでいる部分に宛がわれるパッドコアの厚みを増大でき、従ってベッドで圧力のかかりやすい人体の膨らんでいる臀部部分などへの圧力の集中を分散し、褥瘡の生じやすい部分の褥瘡の発生を軽減したり予防したり、その悪化を緩和することも兼ね備えた寝た状態でも着用感の良好なおむつ用パッドを提供できる。
【００３８】
しかも、厚みを厚くすべき部分の形状に適合した大きさと形状を有するパッドコア部片はパッドコアベース生地を目的の形状、大きさにカットすることにより簡単に製造できるので、製造が容易で、コストも比較的安く製造でき好ましい。
【００３９】
（１３）また、前記（１２）項に記載のおむつ用パッドにおいては、第１ベースパッドコア部片の外側面に、少なくとも後身頃上縁の左右の幅を除いて、第１ベースパッドコア部片よりも幅が狭く、長さも第１ベースパッドコア部片の後身頃上縁と前身頃上縁より短い第２ベースパッドコア部片が更に積層されていることが好ましい。
【００４０】
第２ベースパッドコア部片（例えば図１０参照）を積層することにより、おむつ用パッドの吸液量を増大し、尿の漏れをより一層防止できるとともに、第２ベースパッドコア部片は、第１ベースパッドコア部片（例えば図９参照）よりも幅が狭く、長さも第１ベースパッドコア部片の後身頃上縁と前身頃上縁より短いので、前身頃上縁においては、不必要にパッドコアが厚くならず、腹部の圧迫感を軽減し着用感を良好に保つことができる。第２ベースパッドコア部片は、第１ベースパッドコア部片よりも幅を狭くすることにより、同じ幅にすると縁部が固めになり、特に股下部などにおいて股ずれなどが生じたり、着用感が低下するのを防止し、フィット性、着用感を向上させることができ好ましい。
【００４１】
（１４）また、前記（１２）〜（１３）項のいずれかに記載のおむつ用パッドにおいては、第１ベースパッドコア部片より肌側の位置に、第１ベースパッドコア部片後身頃上縁部に沿って、細帯状の後身頃上縁部厚み増加パッドコア部片が更に積層されていることが好ましい。
【００４２】
第１ベースパッドコア部片（例えば図９参照）より肌側の位置に、第１ベースパッドコア部片後身頃上縁部に沿って、細帯状の後身頃上縁部厚み増加パッドコア部片（例えば図６参照）が更に積層されていることにより、尿が後側の背中方向に漏れることをより一層防止でき、しかも、人体の窪んでいる部分に宛がわれるパッドコアの厚みを増大でき、従ってベッドで圧力のかかりやすい人体の膨らんでいる臀部部分などへの圧力の集中を分散し、褥瘡の生じやすい部分の褥瘡の発生を軽減したり予防したり、その悪化を緩和することも兼ね備えた寝た状態でも着用感の良好なおむつ用パッドを提供できる。
【００４３】
（１５）また、前記（１２）〜（１４）項のいずれかに記載のおむつ用パッドにおいては、第１ベースパッドコア部片の肌側面と臀部上部第１パッドコア部片との間に、臀部上部第１パッドコア部片とほぼ同じ程度の大きさで、しかも第１ベースパッドコア部片や臀部上部第１パッドコア部片とその上縁部が同じ位置か若干下側の位置にあり、臀部上部第１パッドコア部片の下に凸の突出部の左右両脇にはみ出してしかも前記凸の突出部の先端より短い部位をその下縁部が通る変則楕円形状の臀部上部第２パッドコア部片が更に積層されていることが好ましい。
【００４４】
第１ベースパッドコア部片（例えば図９参照）の肌側面と臀部上部第１パッドコア部片（例えば図７参照）との間に、上述の臀部上部第２パッドコア部片（例えば図８参照）が更に積層されていることにより、左右の臀部の膨らみの上方近傍部分において、後中心部上方に斜めに向かって人体の窪みが次第に大きくなる部分に沿って、段階的にパッドコアの厚みが厚くなっているので、人体の窪んでいる部分に宛がわれるパッドコアの厚みを増大でき、従ってベッドで圧力のかかりやすい人体の膨らんでいる臀部部分などへの圧力の集中をより分散しやすくし、褥瘡の生じやすい部分の褥瘡の発生を軽減したり予防したり、その悪化を緩和することができ、寝た状態でも着用感の良好なおむつ用パッドを提供できる。しかも臀部上部第２パッドコア部片が更に積層されていることにより、後身頃側の尿の吸収量をさらに多くでき、尿の漏れを一層防止でき、べとつき感を少なくした着用感の良好なおむつ用パッドを提供できる。
【００４５】
（１６）また、前記（１）〜（１５）項のいずれかに記載のおむつ用パッドにおいては、おむつ用パッドコアの厚みが、パッドコアを形成するシート状のパッドコア部片の積層枚数によって調整されているおむつ用パッドコアであって、３枚以上のパッドコア部片を積層して用いる場合で、当該３枚以上のパッドコア部片の後身頃の上縁である人体の横方向に向いている縁部に関し、当該パッドコア部片のうちの少なくとも１枚の部片の人体の横方向に向いている当該縁部を他のパッドコア部片と縫合せずにフリーの状態にしておくことが好ましい。
【００４６】
おむつ用パッドのパッドコアの後身頃の上縁部は、寝ている場合に体重がかかるので、その部分の感触が硬いと着用感が低下するとともに、例えばフェルトなどからなるパッドコア部片を３枚以上重ねて縫合すると、当該縫合部分の柔軟性、フレキシビリティも低下して人体の立体的曲面にも沿いにくくなる。従って、かかる場合に少なくとも１枚の部片の人体の横方向に向いている当該縁部を他のパッドコア部片と縫合せずにフリーの状態にしておくことにより、この部分の柔軟性を保持し、人体の立体的曲面へのフィット性を良好に保ち、着用感も良好にでき好ましい。
【００４７】
（１７）また、前記（１）〜（１６）項のいずれかに記載のおむつ用パッドにおいては、肌側面シートの肌側面側の後身頃上縁に沿って、防水布からなる液堰止め片が更に設けられていることが好ましい。
【００４８】
後身頃上縁に沿って、防水布からなる液堰止め片を設けることにより、後身頃のパッドコアが排尿を吸収しきれない場合においても、背中側に尿が漏れ出るのを防止することができ好ましい。
【００４９】
（１８）また、前記（１）〜（１７）項のいずれかに記載のおむつ用パッドにおいては、  少なくともおむつ用パッドの後身頃の周囲の縁と太ももに接する股下部の縁に、防水性布からなるパイピング縁布が取り付けられていることが好ましい。
【００５０】
寝ている状態で、排尿した場合に、特に後身頃と太ももに接する股下部において尿の吸収保持量が多くなるが、おむつ用パッドの後身頃の周囲の縁と太ももに接する股下部の縁に、防水布からなるパイピング縁布が取り付けられていることにより、寝ている状態で、排尿の吸収保持量の多い後身頃と太ももに接する股下部の縁から、尿が漏れるのを防止することができ好ましい。
【００５１】
尚、パイピングは、布の縁を別の布でくるんで縫合する方法を意味している。
【００５２】
以下、本発明の理解を容易にするために、図面を参照しながら本発明の代表的なおむつ用パッドについて説明する。本発明のおむつ用パッドは、これらの図面に示されたものに限定されるものではない。
【００５３】
図１は本発明のおむつ用パッドの一実施形態の肌側面から見た平面図、図２は図１に示したおむつ用パッドの外側面から見た背面図、図３は前記おむつ用パッドの前身頃と後身頃が股下部を中心にして前身頃と後身頃が肌側に折れ曲がり、前身頃と後身頃が重なっている状態を示す平面図、図４は前記おむつ用パッドの防水布からなる液堰止め片の縫製前のパーツの平面図、図５は前記おむつ用パッドの液透過性の肌側面シートの平面図、図６は前記おむつ用パッドに用いられる細帯状の後身頃上縁部厚み増加パッドコア部片の平面図、図７は前記おむつ用パッドに用いられる臀部上部第１パッドコア部片の平面図、図８は前記おむつ用パッドに用いられる臀部上部第２パッドコア部片の平面図、図９は前記おむつ用パッドに用いられる第１ベースパッドコア部片の平面図、図１０は前記おむつ用パッドに用いられる第２ベースパッドコア部片の平面図、図１１は前記おむつ用パッドに用いられる防水性の外側面シートの平面図、
図１２は本発明のおむつ用パッドの一実施形態の肌側面から見た平面図にその内部に配置された部片の位置を重ねて表示した平面図（但し、防水布からなる液堰止め片やパイピング縁布は図示せず）。図１３は、図１に示した本発明のおむつ用パッドの一実施形態のＡ−Ａ´断面の端面を模式的に示した端面図である。
【００５４】
各部片を部片ごとに示した図が図４〜図１１であり、図１、図２、図１２、図１３はこれらの部片を組み合せた状態を理解するために好適な図面である。
【００５５】
従って、以下の本発明の具体的実施形態の説明については、これらの図面をすべて参照することが前提となるので、図面番号を引用しないで説明するが、特に理解を容易にするために、特定の図面番号を引用する場合がある。しかし、それは他の図面の参照が不要になることを意味するものではない。
【００５６】
本発明の一実施形態のおむつ用パッドは、図１３などに示されるように、肌側面シート１と外側面シート２の間に尿を吸収・保持する吸液性パッドコアを有しており、パッドコアは複数のシート状の吸液性パッドコア部片３、４、５、６、７から形成されている。
【００５７】
肌側面シート１としては、尿を透過しうる編物や織物が用いられ、特に限定されないが、尿を透過しうる液透過性の繊維編物シートなどが好適であり、例えば、トリコット編物などが用いられる。肌側面シート１に用いられる素材繊維も、尿を透過しうる編物や織物であれば各種の繊維を使用することができ、特に限定されるものではないが、例えば、ポリエステル繊維、アクリル繊維、木綿などが好適である。もちろん、これらを併用したり、帯電防止加工された繊維とか、抗菌性、消臭性などの性質が付与された繊維を用いることは何ら差し支えない。
【００５８】
外側面シート２としては、防水性を有する布が用いられ、好ましくは、伸縮性を有する防水性を有する編物などが用いられる。編物としては特に限定するものではないがトリコットなどが好適である。外側面シート２に用いられる素材繊維も特に限定するものではないが、ポリエステル繊維、アクリル繊維、ポリプロピレン繊維などが挙げられる。防水処理としては、防水性樹脂処理、例えば、フッ素樹脂による処理、シリコーン樹脂処理、ポリウレタン樹脂処理など通常の防水処理を採用することができる。
【００５９】
肌側面シート１及び外側面シート２の形状は、図５、図１１からも明らかな様に、両者ともほぼ同一の平面形状のものが用いられ、前身頃Ｘの外観の面積が、後身頃Ｚの外観の面積よりも小さいものが用いられる。Ｙは股下部を示している。後身頃Ｚは人体後側の臀部に宛がわれ、比較的広い面積を有する。そして股下部Ｙから前身頃Ｘは幅が狭くなっている。肌側面シート１及び外側面シート２の長さは、特に限定するものではないが、前身頃上縁部１ａ、２ａがへその位置かそれより下１０ｃｍまでの位置にあてがわれ、後身頃上縁部１ｂ、２ｂはウェストのくびれより下に３〜１０ｃｍまでの位置に宛がわれる程度の長さが好ましい。
【００６０】
寝たきりの要介護成人などにおいては、前述したように、寝ている姿勢の状態で排尿した場合に、尿は重力により下側に移動するので、結局、臀部側、背面側に多くの尿がたまりやすい。従って前側のおむつ用パッドは、それほど大面積で人体前側をカバーする必要がなく、おむつ用パッドの前身頃上縁部がへその位置かそれより下１０ｃｍまでの位置にあてがわれる長さを有するものであれば十分であり、その結果、腹部への圧迫感も少なくでき着用感が良好になる。
【００６１】
パッドコアとしては、不織布（フェルトを含む意味）、編物、織物などが用いられるが、特に不織布（フェルト）が好ましい。編物、織物などを用いてもよいが、厚みを厚くするのには、積層枚数を多くしたり、２重織物、３重織物などを用いればよいが、コストが不織布に比べて高めになる。パッドコアを構成する繊維素材としては、ポリエステル繊維、ポリアクリル繊維、ポリアミド繊維、再生セルロース繊維、綿、羊毛など各種の繊維、これらの併用などが挙げられる。
【００６２】
後述するように、本発明のおむつ用パッドとしては、後身頃に配置されるパッドコアの面積及び量（重量）が、前身頃に配置されるパッドコアの面積及び量よりも大きく、且つ、人体臀部の左右の膨らみ部分の上方並びに臀部の左右の膨らみ部分の間の上部は、パッドコアの厚みが、臀部の左右の膨らみ部分が当接される部分のパッドコアの厚みより厚いパッドコアが用いられるなど、パッドコアが宛がわれる部位に応じて、その厚みを変えたパッドコアが用いられるが、パッドコアの厚みを部位に応じて変化させたパッドコアを作成することはかなり製造も面倒になるし、コストも高くなるので、例えば厚みを厚くすべき部分をその厚くすべき部分の形状に応じ所望の形状にカットしたシート状のパッドコア部片を複数枚積層することなどにより、パッドコアの厚みをパッドコアを形成するフェルトなどからなるパッドコア部片の積層枚数によって調整することが好ましい。しかも、この様に、複数枚のパッドコア部片を用いる場合には、各パッドコア部片の厚みは特に限定するものではないが、２〜７ｍｍ、より好ましくは３〜６ｍｍ程度のものを用いることが好ましい。また、パッドコア部片を複数枚積層する場合に、各パッドコア部片の見かけ密度は同じものを用いてもよいが、見かけ密度の小さいものと、大きいものを交互に積層して用いると、一旦、パッドコア内部に吸収された尿などが、パッドコア内部から表面側に戻るなどの現象を防止することができ好ましい。見かけ密度の小さいものが尿の吸収速度が速く、見かけ密度のより大きいものが尿をその内部に保持する能力が大きいので、このように、パッドコアの厚みを、フェルトなどからなるシート状のパッドコア部片の積層枚数によって調整する方式は、見かけ密度の小さいパッドコア部片と、見かけ密度の大きいパッドコア部片とを交互に積層して用いることなどが可能となり好ましい。
【００６３】
本実施の形態例において肌側面シート１と外側面シート２の間に配置されているパッドコア部片について次に説明する。まず、基本となる第１ベースパッドコア部片６として、後身頃Ｚは臀部をカバーするため幅が広く、パッドコア前身頃Ｘは男性の性器をカバーし得る範囲の位置まで到達しており、しかも股下部Ｙから前身頃上縁部６ａまでが男性の性器を少なくともカバーし得る範囲でパッドコア後身頃Ｚより幅が狭くされている第１ベースパッドコア部片６（図１３、図１２、図９参照）が設けられている。特に限定するものではないが、後身頃上縁６ｂの位置は、肌側面シート１と外側面シート２の後身頃上縁部１ｂ、２ｂより若干下側（例えば０．７〜１．５ｃｍほど下側）が好ましい（図１２、図１３参照）。すなわち、肌側面シート１と外側面シート２の周囲の縁に到達するまでパッドコアが存在しないほうが、おむつパッドの周囲の縁を柔軟にすることができ、本おむつパッドをおむつの上に載せておむつとともに着用した際に、本おむつパッド周囲部分が肌にフィットしやすく、肌とおむつパッドとの間に隙間が生じにくくなるという観点からも尿の漏れを少なくすることに寄与でき好ましい。また脇側についても同様であり、肌側面シート１と外側面シート２の幅よりも、第１ベースパッドコア部片６の幅は狭くなっていることが好ましい。部位にもよるが、例えば後身頃Ｚの幅は、左右合計で２〜６ｃｍほど、股下部Ｙ並びに前身頃Ｘの幅は、それぞれ左右合計で６〜１０ｃｍほど、肌側面シート１と外側面シート２の該当部位の幅より狭くなっていることが好ましい。また、他のパッドコア部片についても、数値は異なるが、同様に、肌側面シート１と外側面シート２の周囲の縁に到達するまでパッドコアが存在しないほうが、おむつパッドの周囲の縁を柔軟にすることができ、本おむつパッドをおむつの上に載せておむつとともに着用した際に、本おむつパッド周囲部分が肌にフィットしやすく好ましい。尚、図１、図１３などにおいて、２６は第１ベースパッドコア部片６の前身頃上縁部６ａ及び左右両側の縁部６ｄの部分と肌側面シート１との縫合ラインである。
【００６４】
次に、臀部上部第１パッドコア部片４（図７、図１２参照）について説明する。臀部上部第１パッドコア部片４は、この実施の形態例では、上述した第１ベースパッドコア部片６の上に後述する臀部上部第２パッドコア部片５を介して積層されている（図１３参照）。
【００６５】
臀部上部第１パッドコア部片４は、人体臀部の左右の膨らみ部分の上方及び臀部の左右の膨らみ部分の間の上部にわたって宛てがわれる下に凸の平面形状を有するパッドコア部片であり、図１４、図１５を用いて説明したように、本発明のおむつ用パッドが宛がわれる部分の上縁近傍に相当する人体臀部の左右の膨らみ部分の上方及び臀部の左右の膨らみ部分の間の上部１５２の部位は、臀部のふくらみ部分に比べて窪んでいる。かかる部位に、例えば図１５の１点鎖線１５３でその宛がわれる位置の一例を示したように、下に凸の平面形状（下に凸の突出部４ｄ）を有する臀部上部第１パッドコア部片４がさらに宛がわれることにより、後身頃側の尿の吸収量をさらに多くできるのみでなく、人体の窪んでいる部分に宛がわれるパッドコアの厚みを増大でき、従ってベッドで圧力のかかりやすい人体の膨らんでいる臀部部分などへの圧力の集中を分散し、褥瘡の生じやすい部分の褥瘡の発生を軽減したり予防したり、その悪化を緩和するなどの機能の発揮の一助とすることができる。
【００６６】
そして、本実施の形態においては、第１ベースパッドコア部片６の肌側面と臀部上部第１パッドコア部片４との間に、臀部上部第２パッドコア部片５が更に積層されている（図８、図１２、図１３参照）。臀部上部第２パッドコア部片５の上縁５ｂの位置は、第１ベースパッドコア部片６の後身頃上縁部６ｂや臀部上部第１パッドコア部片４の上縁４ｂより若干下側の位置にある（図１３参照）。従って、第１ベースパッドコア部片６、臀部上部第１パッドコア部片４、臀部上部第２パッドコア部片５の３者の上縁は、同時に縫合されずに、第１ベースパッドコア部片６の上縁６ｂと臀部上部第１パッドコア部片４の上縁４ｂとが縫合ライン２１で縫合され、臀部上部第２パッドコア部片５の上縁５ｂはフリーな縁のままになっている。これは、上記３者の縁を同時に縫合してしまうと、縫合部分が硬くなるが、臀部上部第２パッドコア部片５の上縁が、同時に縫合せずに、フリーな縁のままにしておくことにより、この部分の柔軟性を保持し、着用感を良好にできる。その他の縁は、３者とも重なっている部分の縁は、３者同時に縫合されており、３者が重なっていない部分の縁については、臀部上部第２パッドコア部片５のその他の縁は、第１ベースパッドコア部片６に縫合され（その縫合ラインの一部を図１３の符号２３で示した）、臀部上部第１パッドコア部片４のその他の縁は、その縁に沿って、第１ベースパッドコア部片６と臀部上部第２パッドコア部片５の積層物に縫合されている（その縫合ラインの一部を図１３の符号２４で示した）。
【００６７】
臀部上部第２パッドコア部片５は、臀部上部第１パッドコア部片４とほぼ似たような大きさ（臀部上部第１パッドコア部片４より面積が少し大きい）を有しているが、臀部上部第１パッドコア部片４と形状がやや異なり、臀部上部第２パッドコア部片５の下側の左右の縁部分５ｃは臀部上部第１パッドコア部片４における下に凸の突出部４ｄの左右両脇の縁４ｃから外側にはみ出している。しかも臀部上部第２パッドコア部片５の下側縁５ａは、前記臀部上部第１パッドコア部片４の突出部４ｄの先端４ａより内側短い部位（内側部位）を通っていて、全体の平面形状は、図８に示されるように、変則的な略楕円形状を有している。
【００６８】
第１ベースパッドコア部片６の肌側面と臀部上部第１パッドコア部片４との間に、臀部上部第２パッドコア部片５が更に積層されていることにより、左右の臀部の膨らみの上方近傍部分において、後中心部上方に斜めに向かって人体の窪みが次第に大きくなる部分（図１４、図１５参照）に対し、図１２に示すように、第１ベースパッドコア部片６のみの部分、第１ベースパッドコア部片６と臀部上部第２パッドコア部片５とが重なった部分、第１ベースパッドコア部片６と臀部上部第２パッドコア部片５と臀部上部第１パッドコア部片４の３者が重なった部分など段階的にパッドコアの厚みが厚くなっているので、人体の窪んでいる部分に宛がわれるパッドコアの厚みをより人体の形状に沿った状態で増大でき、従って着用者が寝ている状態で、ベッドにおいて圧力のかかりやすい人体の膨らんでいる臀部部分などへの圧力の集中をより分散しやすくし、褥瘡の生じやすい部分の褥瘡の発生を軽減したり予防したり、その悪化を緩和することがより一層しやすくなる。しかも臀部上部第２パッドコア部片５が更に積層されていることにより、後身頃側の尿の吸収量をさらに多くでき、尿の漏れを一層防止でき、べとつき感を少なくし、着用感を良好にし得る。
【００６９】
そして、本実施の形態例においては、臀部上部第１パッドコア部片４の更に肌側の位置に、臀部上部第１パッドコア部片４の上縁部４ｂに沿って、細帯状の後身頃上縁部厚み増加パッドコア部片３（図６、図１２、図１３参照）が更に積層されている。このパッドコア部片３の下縁３ａはほぼ直線状であり、上縁３ｂは臀部上部第１パッドコア部片４の上縁部４ｂと同一の形状である。このパッドコア部片３は、その下縁３ａに沿って縫合ライン２２で臀部上部第１パッドコア部片４に縫合されている。パッドコア部片３の上縁３ｂは他のパッド部片と縫合せずにフリーの状態にしておく。こうすることにより、この部分の柔軟性を保持し、着用感を良好にできる。この部分も縫合してしまうと、この部分が固くなり、自由に曲がりにくくなって着用感が低下すると言う問題の発生を防止でき好ましい。
【００７０】
後身頃上縁部厚み増加パッドコア部片３が更に積層されていることにより、尿が後側の背中方向に漏れることをより一層防止でき、しかも、人体の窪んでいる部分に宛がわれるパッドコアの厚みを増大でき、従ってベッドで圧力のかかりやすい人体の膨らんでいる臀部部分などへの圧力の集中を分散し、褥瘡の生じやすい部分の褥瘡の発生を軽減したり予防したり、その悪化を緩和する機能もより一層発揮しやすくなる。従って、寝た状態でも着用感の良好なおむつ用パッドを提供できる。
【００７１】
そして、本実施の形態においては、第１ベースパッドコア部片６の外側面に、更に第２ベースパッドコア部片７が積層されている（図１０、図１２、図１３参照）。
【００７２】
第２ベースパッドコア部片７は、後身頃上縁７ｂの左右の幅を除いて、第１ベースパッドコア部片よりも幅が狭く、長さも第１ベースパッドコア部片６の後身頃上縁６ｂと前身頃上縁６ａより短い（図１２、図１３参照）。図１０において、７ａは第２ベースパッドコア部片７の前身頃上縁を示している。尚、７ｄは第２ベースパッドコア部片７の左右の脇側の縁部を示している。
【００７３】
第２ベースパッドコア部片７は、第１ベースパッドコア部片６よりも幅が狭く、長さも第１ベースパッドコア部片６の後身頃上縁６ｂと前身頃上縁６ａより短いので、前身頃上縁においては、不必要にパッドコアが厚くならず、腹部の圧迫感を軽減し着用感を良好に保つことができる。第２ベースパッドコア部片７は、第１ベースパッドコア部片よりも幅を狭くすることにより、同じ幅にすると縁部が固めになったり、特に股下部などにおいて股ずれなどが生じやすくなったり、着用感が低下するのを防止し、フィット性、着用感を向上させることができ好ましい。しかも、第２ベースパッドコア部片７の存在により尿の吸収量を増大できる。尚、第２ベースパッドコア部片７は、その左右の縁と前身頃の上縁７ａに沿って第１ベースパッドコア部片６に縫合されている（図１３の縫合ライン２５はその一部の縫合ラインを示している。）。第２ベースパッドコア部片７の後身頃上縁７ｂは他のパッド部片と縫合せずにフリーの状態になっている。このようにすることにより、この部分の柔軟性を保持し、着用感を良好にできる。この部分も縫合してしまうと、この部分が固くなり、自由に曲がりにくくなって着用感が低下すると言う問題の発生を防止でき好ましい。
【００７４】
かくして各パッドコア部片が積層されて形成されたパッドコアを全体として眺めた場合に、第１ベースパッドコア部片６の左右両側の縁部６ｄ、６ｄと前身頃上縁６ａの部分が他のパッドコア部片の縁よりはみ出してこの部分がパッドコア部片１枚からなるので、本実施の形態のおむつパッドを着用した場合、これら周辺部が柔らかいので、人体の立体形状へ沿い易くフィット性が向上でき、着用感も良好に保つことができ好ましい。
【００７５】
また、本実施の形態例のおむつ用パッドにおいては、肌側面シート１の肌側面側の後身頃上縁に沿って、防水布からなる液堰止め片８が更に設けられている（図１、図１３、図４参照）。液堰止め片８の取り付け前の状態の生地の形状は、特に限定するものではないが、例えば図４に示す様な細長い長方形状の生地でよい。もちろん細長い三日月状の形状の生地を用いてもよい。細長い長方形状の生地を用いても縫合する際に図１の液堰止め片８で示したような形状にすればよい。図１３の液堰止め片８の断面形状からも明らかな様に、幅方向断面が上方に膨らむ様に幅にゆとりを持たせて縫合（縫合ライン２０、２８）している。こうすることにより、防水布によるダム状の堰が形成され、後身頃のパッドコアが排尿を吸収しきれない場合においても、背中側に尿が漏れ出るのを防止する機能を発揮することができ好ましい。
【００７６】
また、本実施の形態例のおむつ用パッドにおいては、おむつ用パッドの肌側面シート１と外側面シート２の後身頃Ｚの周囲の縁と太ももに接する股下部Ｙの縁に、防水性布からなるパイピング縁布９、１０が取り付けられている（図１、図２、図１３参照）。この実施の形態では、おむつ用パッドの肌側面シート１と外側面シート２の前身頃Ｘの周囲の縁については、パイピング縁布が使用されずに縫合ライン２７で縫合されているが、必要に応じてパイピング縁布を取り付けてもよい。図１３の符号２０はパイピング縁布が肌側面シート１と外側面シート２の後身頃Ｙの周囲の縁に縫合される縫合ラインを示している。
【００７７】
寝ている状態で、排尿した場合に、特に後身頃と太ももに接する股下部において尿の吸収保持量が多くなるが、おむつ用パッドの後身頃の周囲の縁と太ももに接する股下部の縁に、防水布からなるパイピング縁布が取り付けられていることにより、寝ている状態で、排尿の吸収保持量の多い後身頃と太ももに接する股下部の縁から、尿が漏れるのを防止することができ好ましい。
【００７８】
更に、本実施の形態例のおむつ用パッドにおいては、図１に示す如くおむつ用パッドの肌側面シート１の太ももに接する股下部の縁の肌側に沿って、防水布からなるパイピング縁布１０の内側に、図示していないが、ゴムテープなどのエラスティックテープが取り付けられている。４０はギャザーを示している。このようにすることにより、おむつ用パッドの股下部の周囲の縁が着用者の太腿にぴったりとフィットし、尿の漏れを防止でき好ましい。
【００７９】
また、更に、本実施の形態例のおむつ用パッドにおいては、図１、図１２に示すように肌側面シートとパッドコアとが、パッドコアの幅方向のほぼ中心を前身頃部分から股下部Ｙを通り後身頃Ｘのうちの下側部分に到る縫製ラインで縫合されて形成された縫合ライン状の中心溝３０を有し、更にパッドコアの後身頃Ｚの左右両脇側にパッドコアの後身頃を下側から上方に向かい後身頃の上縁部までの中間に達する縫製ラインで縫合されて形成された左右の縫合ライン状の左右溝３１ａ、３１ｂを有している。
【００８０】
排尿された際に、尿は肌側面シート１を透過しパッドコアに吸収されるのであるが、肌側面シート１を透過するまでに若干の時間がかかる。そのため、尿が肌側面シート上で無差別な方向に分散しやすく、おむつ用パッド外に尿が漏れる恐れがある。
【００８１】
肌側面シート１とパッドコアとを、上述のように縫合することにより、縫合ラインが溝を形成するので、尿が当該中心溝３０に沿って流れやすくなり、尿の吸収方向をパッドコアの長さ方向に沿って後身頃側に導きやすくできるとともに、当該溝は縫合の際にミシン針などが通されて孔が開いていることからも、当該溝の部分から尿がパッドコア内に入り込みやすくなり、肌側面シートを透過し、パッドコアに導かれる時間を短くできるので、尿が外部に漏れるのをより一層防止できる。また、縫合ラインからなる左右溝３１ａ、３１ｂは、前側から後ろ側に中心溝３０に沿って流れてきた尿が、面積の広い後身頃パッドコアに広がる際に、左右溝３１ａ、３１ｂで左右の縫合ラインからなる左右溝に沿って導きやすくし、当該溝の部分から尿が面積の広い後身頃のパッドコア内に入り込みやすくなり、パッドコアに吸収される易くし、外部への尿の漏れを少なくでき好ましい。
【００８２】
上述したように、本実施の形態例におけるおむつ用パッドは、各パッドコア部片を適宜、積層して、所定部分のおむつ用パッドコアの厚さや量（重量）を所望の割合に調整しているが、本発明のおむつ用パッドにおいては、後身頃に配置されるパッドコアの量が前身頃に配置されるパッドコアの量の２〜５倍（重量比）であることが好ましい。この場合のパッドコアの量の比較の場合に限って、図３に示すように、本発明のおむつ用パッドの前身頃の上縁部１ａと後身頃の上縁部１ｂとが重なるように２つに折り曲げて、折り曲げライン４１より後側に用いられているパッドコアの量が、折り曲げライン４１より前側に用いられているパッドコアの量の２〜５倍（重量比）となるようにすることが好ましい。
【００８３】
後側に配置されるパッドコアの量が、前側に配置されるパッドコアの量よりも上記の如く多くなっているので、寝ている状態で排尿した場合でも、尿が臀部側においても十分に吸収され、濡れた感じやべたつき感などの着用者の不快感を軽減し、後ろウェストより上方にさらに尿が漏れ出ることを一層防止しできる。また、前側に配置されるパッドコアの量が後側のそれらに比べて少なくなっているので、腹部への圧迫感も少なく着用感が一層良好になる。
【００８４】
同様に、本実施の形態例のおむつ用パッドにおいては、図３に示したように前側と後側を重ね合わせた場合に、おむつ用パッドの前身頃の外観の面積（折り曲げライン４１より前側の面積）が、後身頃の外観の面積（折り曲げライン４１より後側の面積）よりも小さく設計されている。
【００８５】
病院や老人介護施設などにおいては、大量のおむつ類を洗濯し、乾燥機などで乾燥する。通常、おむつ用パッドは、前身頃と後身頃が肌側に反るように股下部の左右両サイドの縁にゴムテープを設けたり適宜ギャザー４０などを設けているので、洗濯後乾燥機中で乾燥する場合に、股下部を中心にして前身頃と後身頃が肌側に折れ曲がり、前身頃と後身頃が重なってしまうことが多い。この際に、前身頃と後身頃の面積がほぼ同等に近いと、前身頃と後身頃が重なった部分が乾燥しにくくなり、乾燥に時間がかかり、病院や老人介護施設など大量におむつ類を洗濯し、乾燥しなければならない場合に、時間とコストがかなり大きくなる。然るに、おむつ用パッドの前身頃の面積が、後身頃の面積よりも小さいおむつ用パッドとすることにより、前身頃と後身頃の面積が異なるので、両者が重なり合っても重なりあう面積を小さくでき乾燥時間やコストをかなり節約することが可能となり好ましい。しかも、前身頃が小さいので、後身頃と重なった場合でも、ドライヤー中で回転する際に、前身頃が動きやすく、しばしば重なりあっている位置が変わるので、乾燥が容易になる。
【００８６】
この場合に、おむつ用パッドの前身頃の外観の面積が、後身頃の外観の面積の７０〜５０％であることが好ましい。あまりに前身頃の面積を小さくしすぎると、排尿の際に尿が前側から漏れやすくなるので、おむつ用パッドの前身頃の外観の面積が、後身頃の外観の面積の７０〜５０％の範囲とすることにより、排尿の際に尿が前側から漏れやすくなることを防止しつつ、前述した様に前身頃と後身頃の面積が異なるので、両者が重なり合っても重なりあう面積を小さくでき乾燥時間やコストをかなり節約することが可能となり好ましい。
【産業上の利用可能性】
【００８７】
本発明のおむつ用パッドは、後側に配置されるパッドコアの面積及び量が、前側に配置されるパッドコアの面積及び量よりも大きくなっているので、寝ている状態で排尿した場合でも、尿が臀部側においても十分に吸収され、濡れた感じやべたつき感などの着用者の不快感を軽減し、後ろウェスト方向にさらに尿が漏れ出ることを防止しできる。また、前側に配置されるパッドコアの面積及び量が後側のそれらに比べて少なくなっているので、腹部への圧迫感も少なく着用感が良好になる。
【００８８】
しかも、人体臀部の左右の膨らみ部分の上方並びに臀部の左右の膨らみ部分の間の上部は、パッドコアの厚みが、臀部の左右の膨らみ部分が当接される部分のパッドコアの厚みより厚いパッドコアが用いられているので、ベッドで圧力のかかりやすい人体の膨らんでいる臀部部分などへの圧力の集中を分散し、褥瘡の生じやすい部分の褥瘡の発生を軽減したり予防したり、その悪化を緩和することも兼ね備えた着用感の良好なおむつ用パッドを提供できる。従って、ベッドに寝かされた状態が長い要介護成人などのおむつ用パッドとして有用である。
【図面の簡単な説明】
【００８９】
【図１】本発明のおむつ用パッドの一実施形態の肌側面から見た平面図。
【図２】図１に示したおむつ用パッドの外側面から見た背面図。
【図３】図１、２に示したおむつ用パッドの股下部を中心にして折れ曲がり、前身頃と後身頃が重なっている状態を示す平面図。
【図４】防水布からなる液堰止め片の縫製前のパーツの平面図。
【図５】液透過性の肌側面シートの平面図。
【図６】細帯状の後身頃上縁部厚み増加パッドコア部片の平面図。
【図７】臀部上部第１パッドコア部片の平面図。
【図８】臀部上部第２パッドコア部片の平面図。
【図９】第１ベースパッドコア部片の平面図。
【図１０】第２ベースパッドコア部片の平面図。
【図１１】外側面シートの平面図。
【図１２】本発明のおむつ用パッドの一実施形態の肌側面から見た平面図にその内部に配置された部片の位置を重ねて表示した平面図。
【図１３】図１に示した本発明のおむつ用パッドの一実施形態のＡ−Ａ´断面の端面を模式的に示した端面図。
【図１４】人体のウェスト近傍から太腿近傍までの側面図。
【図１５】人体のウェスト近傍から太腿近傍までの後側から見た斜視図。
【図１６】従来の代表的な一例のおむつ用パッドの肌側面から見た平面図。
【図１７】図１６のおむつ用パッドのＡ−Ａ´断面の端面を模式的に示した端面図。
【符号の説明】
【００９０】
１  肌側面シート
１ａ  前身頃上縁部
１ｂ  後身頃上縁部
２  外側面シート
２ａ  前身頃上縁部
２ｂ  後身頃上縁部
３  後身頃上縁部厚み増加パッドコア部片
３ａ  後身頃上縁部厚み増加パッドコア部片３の下縁
３ｂ  後身頃上縁部厚み増加パッドコア部片３の上縁
４  臀部上部第１パッドコア部片
４ａ  臀部上部第１パッドコア部片４の突出部４ｄの先端
４ｂ  臀部上部第１パッドコア部片４の上縁
４ｃ  臀部上部第１パッドコア部片４
４ｄ  下に凸の突出部４ｄの左右両脇の縁
５  臀部上部第２パッドコア部片
５ａ  臀部上部第２パッドコア部片５の下側縁
５ｂ  臀部上部第２パッドコア部片５の上縁
５ｃ  臀部上部第２パッドコア部片５の下側の左右の縁部分
６  第１ベースパッドコア部片
６ａ  第１ベースパッドコア部片６の前身頃上縁部
６ｂ  第１ベースパッドコア部片６の後身頃の上縁
６ｄ  第１ベースパッドコア部片６の左右両側の縁部
７  第２ベースパッドコア部片
７ａ  第２ベースパッドコア部片７の前身頃の上縁
７ｂ  第２ベースパッドコア部片７の後身頃上縁
７ｄ  第２ベースパッドコア部片７の左右の脇側の縁部
８  液堰止め片
９  パイピング縁布
１０  パイピング縁布
２０  縫合ライン
２１  縫合ライン
２２  縫合ライン
２３  縫合ライン
２４  縫合ライン
２５  縫合ライン
２６  縫合ライン
２７  縫合ライン
２８  縫合ライン
３０  縫合ライン状の中心溝
３１ａ，３１ｂ  縫合ライン状の左右溝
４０  ギャザー
４１  折り曲げライン
１５０  人体の後側の中心ラインを模式的に示した点線
１５１ａ、１５１ｂ  臀部が外側に膨らんでいることを示すために記入した模擬ライン
１５２  人体臀部の左右の膨らみ部分の上方及び臀部の左右の膨らみ部分の間の上部
１５３  臀部上部第１パッドコア部片４が宛がわれる位置を示した１点鎖線
１６１  肌側面シート
１６２  外側面シート
１６３  液吸収性を有する布帛
１６４  吸液性パッドコア
１６５  縫合ライン
１６６  縫合ライン
【図１】
2005087538.tif 000003
【図２】
2005087538.tif 000004
【図３】
2005087538.tif 000005
【図４】
2005087538.tif 000006
【図５】
2005087538.tif 000007
【図６】
2005087538.tif 000008
【図７】
2005087538.tif 000009
【図８】
2005087538.tif 000010
【図９】
2005087538.tif 000011
【図１０】
2005087538.tif 000012
【図１１】
2005087538.tif 000013
【図１２】
2005087538.tif 000014
【図１３】
2005087538.tif 000015
【図１４】
2005087538.tif 000016
【図１５】
2005087538.tif 000017
【図１６】
2005087538.tif 000018
【図１７】
2005087538.tif 000019